(57)【特許請求の範囲】
【請求項１】
座部と、該座部を昇降させる基台に取付けられた昇降装置と、前記座部に対して起伏可能に取付けられた背凭れと、前記基台から起立され上端に後方に向かって下降傾斜するガイド部を有するリンクブラケットと、前記背凭れの下部から垂下され、下端に支持ローラを有する背凭れ支持板と、前記座部の先端側裏面に一端が軸支され、他端に形成された長孔に前記支持ローラの一部がガイドされるリンクとを具備したことを特徴とする理美容椅子における身長差調整装置。
【請求項２】
請求項１において、前記座部の昇降高さを検出する検出手段を前記理美容椅子に取付け、該検出手段よりの出力が予めメモリしてある身長に対する座部の高さに達したか否かの判断を行う手段と、被洗髪者の身長を入力して前記座部の高さを前記メモリの判断基準として決定する入力手段とを具備したことを特徴とする理美容椅子における身長差調整装置。
【請求項３】
請求項２における検出手段は、昇降装置における駆動源によって平行移動する平行リンクの回転量を検出するポテンショメータであることを特徴とする理美容椅子における身長差調整装置。
【発明の詳細な説明】
【０００１】
【発明の属する技術分野】
本発明は背凭れの寝角度が水平位置から略５０度程度寝た状態でバックシャンプーを行うための理美容椅子において、被施術者の身長に差があっても被施術者のネック位置がシャンプーボールのネック受け部に位置合わせが容易に行えるようにした身長差調整装置に関する。
【０００２】
【従来の技術】
従来、理美容院において被施術者の毛髪のシャンプーを行う方法としては、被施術者が前かがみになって行うフロントシャンプーと、理美容椅子の背凭れを伏倒して被施術者のネックをシャンプーボールのネック受け部に支持させて行うバックシャンプーの二通りがあった。
【０００３】
また、前記バックシャンプーにおいても、背凭れを略水平状態に伏倒した状態で被施術者のネックをネック受け部に支持させて行う方法と、背凭れを水平位置から５０度程度伏倒した状態で被施術者のネックをネック受け部に支持させて行う方法の二通りがある。
【０００４】
【発明が解決しようとする課題】
ところで、前記したバックシャンプーによる毛髪シャンプーの前者にあっては、背凭れの角度調整と座部の昇降調整を行うことで、被施術者の座高の違いに合わせることができるが、後者にあっては、座部の前後スライドのみによって行い、被施術者のネックををネック受け部に対して最適位置に合わせるために、着座している被施術者自身が座部上で前後動して調整していた。
【０００５】
そのため、被施術者に無理な姿勢を取らせて苦痛を与えることがあると共に、被施術者に対して施術者が体をずらすように言わなければならないといった面倒があり、また、前後スライドすることによって座高差調整をする場合には、ある程度の対適正を確保するために調整範囲を限定しなければならず、そのために、子供等の低身長者にあってはシャンプー姿勢をとることが不可能であるといった問題があった。
【０００６】
本発明は前記した問題点を解決せんとするもので、その目的とするところは、座部の高さを調整するのみで、座高の違いに対応することができ、また、座部の高さ調整は予め座高による高さをメモリしておくことで、被洗髪者の身長を入力することで自動的に高さ調整を行うことができる理美容椅子における身長差調整装置を提供せんとするにある。
【０００７】
【課題を解決するための手段】
本発明の理美容椅子における身長差調整装置は前記した目的を達成せんとするもので、請求項１の手段は、座部と、該座部を昇降させる基台に取付けられた昇降装置と、前記座部に対して起伏可能に取付けられた背凭れと、前記基台から起立され上端に後方に向かって下降傾斜するガイド部を有するリンクブラケットと、前記背凭れの下部から垂下され、下端に支持ローラを有する背凭れ支持板と、前記座部の先端側裏面に一端が軸支され、他端に形成された長孔に前記支持ローラの一部がガイドされるリンクとを具備したものである。
【０００８】
請求項２の手段は、前記した請求項１において、前記座部の昇降高さを検出する検出手段を前記理美容椅子に取付け、該検出手段よりの出力が予めメモリしてある身長に対する座部の高さに達したか否かの判断を行う手段と、被洗髪者の身長を入力して前記座部の高さを前記メモリの判断基準として決定する入力手段とを具備したものである。
【０００９】
請求項３の手段は、請求項２における検出手段は、昇降装置における駆動源によって平行移動する平行リンクの回転量を検出するポテンショメータであることを特徴とする。
【００１０】
【発明の実施の形態】
以下、本発明に係る理美容椅子における身長差調整装置の実施の形態を図面と共に説明する。
１は床面に設置される基台、２は該基台１上に固定されたモータとポンプからなる駆動源、３は該駆動源２よりの油圧によってピストン３ａが伸長し、油圧を除去した状態において理美容椅子の自重によってピストン３ａが収縮する油圧シリンダ、４は前記駆動源３を挟むように２枚の板が立設されたリンクブラケットにして、前記油圧シリンダ３のシリンダ側が回動自在に軸支されている。
【００１１】
５は一端が前記リンクブラケット３に軸支された第１リンク５ａと第２リンク５ｂとから構成された平行リンクにして、第１リンク５ａの略中間部に前記油圧シリンダ３のピストン３ａが軸支されている。６は座部にして、裏面の腰板６ａにおける先端側にはフランジ６ｂが垂下固定されており、このフランジ６ｂに前記平行リンク５の他端側が軸支されている。
【００１２】
従って、油圧シリンダ５のピストン５ａを伸長すると、座部６が平行リンク５によって水平状態で上昇することとなる。なお、前記駆動源２をモータとし、該モータの回転によって回転するネジ棒を前記フランジ５ｂに固定したナットに螺合し、モータの回転によってネジ棒を回転して昇降する構造であってもよく、また、その他の公知の理美容椅子における座部昇降装置に置き換えてもよい。
【００１３】
７は前記座部６における腰板６ａの後方に垂下されたフランジ６ｃに回動自在に軸支された背凭れにして、該背凭れ６の下部から背凭れ支持板７ａが垂下されている。そして、背凭れ支持板７ａの下端には支持ローラ８が取付けられ、この支持ローラ８は前記リンクブラケット４の上端に形成された後方に向かって下降傾斜するガイド部４ａにガイドされている。
【００１４】
９は一端が前記フランジ６ｂに軸支され、他端に形成されている長孔９ａが前記ローラ８を軸支しているピン８ａが臨んでガイドされているリンク、１０は前記平行リンク５における第１リンク５ａの前記リンクブラケット４側に軸支された軸部の回転を検出するポテンショメータである。そして、前記したリンクブラケット４のガイド部４ａと、該ガイド部４ａを移動することで背凭れ７を伏倒可能にするローラ８および該ローラ８の移動を規制するリンク９の長孔９ａとで、背凭れの伏倒および伏倒角度を規制する背凭れ規制手段を構成している。
【００１５】
次に、前記した構造に基づいて動作を説明するに、図１〜図３に示す図は初期状態を示すもので、この状態にあっては、油圧シリンダ３のピストン３ａが一番収縮した位置にあり、これにより座部６は最下降位置にある。また、この位置においては、ローラ８がリンクブラケット４におけるガイド部４ａの最下部に位置することとなるので、背凭れ７は起立状態を維持している。従って、座部６に着座している被施術者の背中は起立状態となるので、毛髪のカット等の施術が行いやすくなっている。
【００１６】
前記施術が終了して毛髪のシャンプーを行う場合、日本人の平均身長よりも高い人、例えば、身長が１７０ｃｍ以上の被施術者の場合には、前記最下降位置より僅かに油圧シリンダ３のピストン３ａを伸長して、ローラ８がガイド部４ａの最上端位置に達した位置で油圧の供給を停止する。この状態において、被施術者が背凭れ７に背中を寄りかけると、該施術者は背中が傾いて首がシャンプーボール１１のネック受け部１１ａに位置する状態となる（図４、図５参照）。
【００１７】
従って、施術者による毛髪のバックシャンプーが容易に行えるものである。なお、身長が前記１７０ｃｍ以上であって、被施術者の首がネック受け部１１ａより出っ張るような場合には、該被施術者は座部６に対して腰の部分を前方にずらして調整することで、首がネック受け部１１ａに位置するようになる。しかし、前記１７０ｃｍと設定したのは、日本人の平均身長よりも高い人であることから、通常は被施術者が腰を座部６の前方にずらす必要は生じないものである。
【００１８】
次に、被施術者の身長が前記１７０ｃｍよりも低い場合、例えば、身長が１３５ｃｍの子供の場合であって、座部６を最大上昇位置まで上昇させた場合を図６、図７と共に説明する。
この場合には、油圧シリンダ３のピストン３ａを最大位置まで伸長すると、前記最大身長位置よりもピストン３ａの伸長した場所からローラ８はガイド部４ａから離れ、背凭れ７の伏倒方向への回動が自由となる。
【００１９】
そして、ピストン３ａを最大限まで伸長すると、前記１３５ｃｍの被施術者の首はシャンプーボール１１のネック上部１１ａに位置するので、施術者による毛髪のバックシャンプーが容易に行えるものである。
【００２０】
前記した動作の説明にあっては、座部６の高さを施術者が目で見ながら被施術者の首がシャンプーボール１１のネック受け部１１ａに位置するように油圧シリンダ３への油量の調整を行った場合であるが、この制御を自動的に調整する場合を図８、図９と共に説明する。なお、前記した実施の形態における符号と同一符号は同一部分を示し説明は省略する。
【００２１】
図８はシステムブロック図であり、２１は被施術者の身長をキーボード等によって入力するための入力手段にして、前記理美容椅子の所望部分、例えば、背凭れ７の裏面にセットされている。２２は被施術者の身長に対する座部６の高さ位置をテーブルとして記憶してあるデーターベース、２４は前記入力手段２１によって入力した身長から前記データベース２２から選択した高さ位置のデータと、前記ポテンショメータ１０からの回転量に相当する座部６の高さとを比較判定する比較器、２４は手動によって座部６の上昇や下降を行わせるための他の操作用スイッチ、２５は前記比較器２３によって予め設定した高さ位置とポテンショメータ１０によって得られた高さ位置とが一致したとの出力が送出されると駆動源２への通電を遮断し油圧の供給を停止させる駆動源停止手段である。
【００２２】
次に、図９のフローチャートと共に動作を説明する。
先ず、施術者は被施術者の身長を被施術者に聞いて、あるいは、想像によって入力手段２１から身長を入力し（ステップＳ１）、その高さ位置を決定するためのポジション用スイッチを押す（ステップＳ２）。そして、身長のデータが入力されると、該入力した身長に対する座部６の高さ位置に対するデータがデータベース２２から選択されて決定される（ステップＳ３）。
【００２３】
すなわち、前記した実施の形態における被施術者の身長が１７０ｃｍであるとか１３５ｃｍであるとかのデータを入力手段２１から入力すると、データベース２２から１７０ｃｍと入力された場合には、図４、図５に示す高さ位置を選択決定し、また、１３５ｃｍと入力された場合には、図６、図７に示す高さ位置を選択決定される。
【００２４】
そして、この状態においてポテンショメータ１０よりの出力によって、現在における座部６の高さ位置を読み込む（ステップＳ４）。その後に、駆動源２を駆動して油圧シリンダ３に対して油圧を供給し、座部６の上昇を開始すると共に常時ポテンショメータ１０によって、その時の座部６の高さ位置を監視する（ステップＳ５）。
【００２５】
この監視が行われる状態になると、オート動作が開始され駆動源２によって油圧シリンダ３に油圧が供給され座部６は上昇を開始する（ステップＳ６）。この動作途中において他の操作用スイッチ２４が操作されたか否かを監視する（ステップＳ７）。この監視は、万が一オート動作中において施術者が危険を感じた時に、オート動作用スイッチ以外のどのスイッチを操作しても上昇を停止させて危険を開始するためのである。
【００２６】
前記ステップＳ７において危険性があり他の操作用スイッチ２４が操作された場合にはステップＳ４に戻り一旦停止状態となった後に、現在の高さ位置を読み込み座部６の上昇を再開する。一方、前記ステップＳ７において危険性がなく他の操作用スイッチ２４が操作されなかった場合には、前記ステップＳ５における設定された座部の高さ位置と、上昇している座部６の高さ位置とが一致とした判断されると駆動源１への電源の供給が停止されオート動作は終了する（ステップＳ８）。
【００２７】
なお、前記した実施の形態にあっては、座部６の高さ位置を検出する手段として、平行リンク５の回転量を検出するポテンショメータ１０を利用した場合について説明したが、要は、座部６の高さを検出できる手段であれば如何様な検出手段であってもよい。
【００２８】
【発明の効果】
本発明は前記したように、昇降装置によって座部が昇降すると共に背凭れが前記座部に対して起伏可能に軸支された理美容椅子において、前記昇降装置が取付けられている基台から起立してリンクブラケットを取付け、該リンクブラケットに形成されたガイド部に前記背凭れの下部から垂下され支持ローラをガイドさせると共に、前記座部の先端側裏面が一端が軸支されたリンクの他端に長孔を形成し、該長孔に前記支持ローラの一部をガイドするようにしたので、座部の高さを調整するのみで、座高の違いに対応することができるものである。
【００２９】
また、前記座部の昇降時における高さ位置を検出する検出手段を設け、該検出手段よりの出力と、予め座高に対する座部の高さを記憶させたデータとの比較を行って座高の高さに対して座部の高さ設定を自動的に行えるようにしたので、被施術者毎の適正な施術位置を容易にセッティングすることが可能であることから、着座した被施術者の身長を入力することで、適切な位置に座部を上昇させることができるものである。
【００３０】
さらに、被施術者毎の適正な施術位置を容易にセッティングすることが可能であることから、データ化された顧客情報を理美容院内のネットワークによって椅子に入力することで、着座した被施術者の体系に関する情報に基づき座部を適正な位置に上昇させることができる等の効果を有するものである。
【図面の簡単な説明】
【図１】本発明に係る理美容椅子における身長差調整装置の一実施の形態を示す初期状態の一部側面図である。
【図２】同上の背面から見た斜視図である。
【図３】被施術者が着座した状態の全体の側面図である。
【図４】背凭れが伏倒した最下位置の一部を示す側面図である。
【図５】同上における被施術者のシャンプー状態を示す全体の側面図でる。
【図６】図３よりさらに上昇した最大上昇位置の一部を示す側面図である。
【図７】同上における被施術者のシャンプー状態を示す全体の側面図でる。
【図８】座部の昇降を行わせるためのシステムブロック図である。
【図９】動作を説明するためのフローチャートである。
【符号の説明】
１          基台
２          駆動装置
３          油圧シリンダ（昇降装置）
４          リンクブラケット
４ａ        ガイド部
５          平行リンク
６          座部
７          前垂れ
７ａ        背凭れ支持板
８          支持ローラ
９          リンク
９ａ        長孔
１０        ポテンショメータ（高さ検出手段）
【図１】
0003836736.tif 000002
【図２】
0003836736.tif 000003
【図３】
0003836736.tif 000004
【図４】
0003836736.tif 000005
【図５】
0003836736.tif 000006
【図６】
0003836736.tif 000007
【図７】
0003836736.tif 000008
【図８】
0003836736.tif 000009
【図９】
0003836736.tif 000010